(57)【要約】【課題】水切板状体の本来的な防水性能を損なわずに、外壁材の施工を工場で行い得ると共に、劣化した水切板状体を簡便に交換し得る壁防水構造を提供する。【解決手段】本発明の壁防水構造１は、第１の水切板３０が固定された外壁材１０と、内壁材２０の外面に貼付された所定の内壁防水シート２２を介してこの内壁材２０に固定された第２の水切板４０とからなる。第１の水切板３０は、防水板部３３の下部に遮蔽部３１が外側に張り出て内側に折り返された形状に形成されている。遮蔽部３１は、外壁材１０の下端部からはみ出て配置されている。第２の水切板４０は、締結板部４２の上部に被遮蔽部４１が外側に張り出た形状に形成される。被遮蔽部４１は、第１の水切板３０の遮蔽部３１によって覆われて配置されている。【選択図】    図２
2004162359.tif 000002
【特許請求の範囲】
【請求項１】
木造住宅における内壁材と外壁材の間の下端部分に水切板状体が取り付けられ、該外壁材から浸入した水を水切板状体により前記内壁材に浸入するのを防止するように構成された壁防水構造であって、
前記水切板状体は、前記外壁材の内面に固定された第１の水切板状体と、前記内壁材の外面に貼付された所定の内壁防水材を介して該内壁材に固定された第２の水切板状体とからなり、
前記第１の水切板状体は、鉛直面上に延在した防水板部の下部に遮蔽部が外側に張り出て内側に折り返された形状に形成され、前記防水板部は、前記外壁材と前記内壁防水材の間に介在するように配置されると共に、前記遮蔽部は、前記外壁材の下端部からはみ出て配置され、
前記第２の水切板状体は、前記第１の水切板状体の前記防水板部と同一面上に延在した締結板部の上部に被遮蔽部が外側に張り出た形状に形成されると共に、該締結板部の下部に防水カバー部が段差形状に形成され、前記締結部が前記内壁防水材の所定位置に締結されることにより、前記被遮蔽部は、前記第１の水切板状体の前記遮蔽部によって覆われて配置されると共に、前記防水カバー部は、前記内壁防水材を覆って配置されたことを特徴とする壁防水構造。
【請求項２】
前記外壁材の内面には、所定の外壁防水材が貼付され、該外壁防水材は、前記第１の水切板状体の前記防水板部と前記外壁材との間に介在していることを特徴とする請求項１記載の壁防水構造。
【請求項３】
前記第２の水切板状体の前記防水カバー部には、止水部材が下流からの水を堰き止めるように設けられていることを特徴とする請求項１又は２の何れか１項記載の壁防水構造。
【請求項４】
木造住宅における内壁材に外壁材を取り付ける施工にあたって、請求項１乃至３の何れか１項記載の第１、第２の水切板状体を用い、前記外壁材から前記内壁材に水が浸入するのを防止する壁防水方法であって、
前記第１の水切板状体を前記外壁材の内面にその下端部分から前記遮蔽部がはみ出た状態で固定する工程と、
所定の内壁防水材を前記内壁材の外面の所定領域に貼付した後、前記第２の水切板状体を前記内壁防水材の外面の所定位置に固定する工程と、
前記外壁材を、前記内壁材に対し、前記第１の水切板状体につき、前記防水板部が前記内壁防水材に接合する且つ前記遮蔽部が前記第２の水切板状体の前記被遮蔽部を覆う位置に取り付ける工程を有することを特徴とする壁防水方法。
【発明の詳細な説明】
【０００１】
【発明の属する技術分野】
本発明は、木造住宅の家屋やバルコニー等における壁構造体を防水する構造に関し、特に、外壁材から浸入した水を水切板により内壁材に浸入するのを防止する構造に関する。
【０００２】
【従来の技術】
一般に、木造住宅のバルコニーを施工する際には、室外へ張り出した床に内壁材を構築した後、このような床や内壁材に防水工事を施すようにしている。
床の防水工事においては、床下地材に防水板を所定の傾斜で敷設し、その防水板上の水を排水溝に流すようにしている。
一方、内壁材の防水工事においては、内壁材に防水シート等を貼付した後、その内壁材に外壁材を取り付けるようにしているが、この際、外壁材に浸透した水が内壁材に浸入しないようにするため、水切板を内壁材と外壁材の間の下端部分に固定するようにしている。
【０００３】
この水切板は、内壁材と外壁材の間に防水路を形成しその防水路が外壁材の下部を通過した後に内壁材上の防水シート等から離れて鉛直下方にたどるようにするため、一枚の板金を用いて、内壁材と外壁材の間に介在する平面部を形成し、さらに、その下端部分に段差部分を折り曲げて一体的に形成したものである。
【０００４】
このような防水が施されたバルコニーにあっては、外壁材の表面から浸入した水は、水切板に至り、水切板から床の防水板に落下した後、排水溝に流れるようになっている。
そして、一般に防水工事は、水の流れる順序と逆の順序で施工を行うとされていることから、まず、床の防水工事をし、次いで、水切板を内壁材に固定してから、外壁材をその下部において水切板を挟んだ状態で内壁材に取り付けている。
【０００５】
他方、バルコニーにおいて、外壁材に対してその内側の上下に配設された手摺内壁及び内壁材のうち、手摺内壁に対して隙間をおいて配置された内壁材を防水するにあたって、ゴム製の水切シートを容易にメンテナンスにする等の観点から、バルコニー雨仕舞構造が提案されている（特許文献１参照）。
この従来技術においては、手摺内壁の内面から隙間を通して内壁材の外面に延在した水切シートに対し、水切シートと同じような経路で補強板を隙間から出し、その先端部分に水切カバーを固定することによって、水切シート及び内壁材を覆うようにしている。
【０００６】
【特許文献１】
特開平６―１４６５５９号公報
【０００７】
【発明が解決しようとする課題】
しかしながら、上述したような従来のバルコニーの防水工事にあっては、本来、胴縁材や外壁材の施工を工場で行うことが望ましいものの、床の防水工事は、そもそも現場で行う必要があることに加えて、水切板を内壁材に固定してからでないと、胴縁材や外壁材を取り付けることができないため、結果的に胴縁材や外壁材の施工を現場で行わざるを得ないという問題があった。
【０００８】
その一方で、特許文献１に記載された従来技術にあっては、手摺内壁と内壁材の隙間から浸入した水が、水切カバーと補強板の連結部分に浸入した場合、水切シートの劣化を招き、内壁材を十分に防水できないおそれがあった。
他方、従来の水切板は、その下側部分が内壁材と外壁材の間から露出しており、長期間に亘って外気に晒されると劣化するため、簡便に交換されることが望まれていた。
【０００９】
従って、本発明の目的は、水切板状体の本来的な防水性能を損なわずに、外壁材の施工を現場でなく工場で行い得ると共に、劣化した水切板状体を簡便に交換し得る壁防水構造及び壁防水方法を提供することにある。
【００１０】
【課題を解決するための手段】
本発明は、木造住宅における内壁材と外壁材の間の下端部分に水切板状体が取り付けられ、該外壁材から浸入した水を水切板状体により前記内壁材に浸入するのを防止するように構成された壁防水構造であって、前記水切板状体は、前記外壁材の内面に固定された第１の水切板状体と、前記内壁材の外面に貼付された所定の内壁防水材を介して該内壁材に固定された第２の水切板状体とからなり、前記第１の水切板状体は、鉛直面上に延在した防水板部の下部に遮蔽部が外側に張り出て内側に折り返された形状に形成され、前記防水板部は、前記外壁材と前記内壁防水材の間に介在するように配置されると共に、前記遮蔽部は、前記外壁材の下端部からはみ出て配置され、前記第２の水切板状体は、前記第１の水切板状体の前記防水板部と同一面上に延在した締結板部の上部に被遮蔽部が外側に張り出た形状に形成されると共に、該締結板部の下部に防水カバー部が段差形状に形成され、前記締結部が前記内壁防水材の所定位置に締結されることにより、前記被遮蔽部は、前記第１の水切板状体の前記遮蔽部によって覆われて配置されると共に、前記防水カバー部は、前記内壁防水材を覆って配置されたことを特徴とする壁防水構造を提供することにより前記目的を達成したものである。
【００１１】
本発明によれば、従来の水切板状体を、第１の水切板状体と、第２の水切板状体とに分離し、第２の水切板状体の被遮蔽部を、第１の水切板状体の遮蔽部と内壁防水材との間で覆うようにして、水切板状体がもつ本来的な防水性能を損なわずに内壁材の防水を確保した上で、第１の水切板状体を外壁材に固定すると共に、第２の水切板状体を内壁材に固定することにより、現場で施工しなければならない内壁材と分離して、外壁材の施工を工場で行うことが可能になり、ひいては、外壁材の製造や第１の水切板状体の外壁材への取り付けを工場のみで行うことができる。
また、本発明によれば、第２の水切板状体の締結部における内壁材との締結を解除することにより、内壁材と外壁材の間から露出した第２の水切板状体を劣化した場合に簡便に交換することができる。
【００１２】
【発明の実施の形態】
以下本発明に係る壁防水構造の好ましい一実施形態を図面を参照して説明する。
図２に示すように、本実施形態の壁防水構造１は、木造住宅における内壁材２０と外壁材１０の間の下端部分に水切板（水切板状体）３が取り付けられ、外壁材１０から浸入した水を水切体３により内壁材２０に浸入するのを防止するように構成された構造である。
水切板３は、外壁材１０の内面に固定された第１の水切板（第１の水切板状体）３０と、内壁材２０の外面に貼付された所定の内壁防水シート（内壁防水材）２２を介してこの内壁材２０に固定された第２の水切板（第２の水切板状体）４０とからなる。
第１の水切板３０は、鉛直面上に延在した防水板部３３の下部に遮蔽部３１が外側に張り出て内側に折り返された形状に形成されている。防水板部３３は、外壁材１０と内壁防水シート２２の間に介在するように配置されている。遮蔽部３１は、外壁材１０の下端部からはみ出て配置されている。
第２の水切板４０は、第１の水切板３０の防水板部３３と同一面上に延在した締結板部４２の上部に被遮蔽部４１が外側に張り出た形状に形成されると共に、締結板部４２の下部に防水カバー部４３が段差形状に形成されている。締結部４２が内壁防水シート２２の所定位置に締結されることにより、被遮蔽部４１は、第１の水切板３０の遮蔽部３１によって覆われて配置されると共に、防水カバー部４３は、内壁防水シート２２を覆って配置されている。
以下、かかる壁防水構造１を詳細に述べる。
【００１３】
本実施形態の壁防水構造１は、木造住宅のバルコニーに適用された構造である。
図１に示すように、このようなバルコニー４は、例えば、２階建物の壁から張り出した床５に内壁材２０が立設されて構成される。
このような内壁材２０には、２階建物側の床５Ａの周囲を囲む高い内壁材２０Ａや、屋外側の床５Ｂの周囲を囲む低い内壁材２０Ｂ等があり、壁防水構造１は、特に、高い内壁材２０Ａの両側に適用されている。なお、内壁材２０の上部には、手摺６が取り付けられている。
【００１４】
まず、内壁材２０及び第２の水切板４０について説明する。
図２に示すように、内壁防水シート２２は、例えばハウタンシート（商品名）等のように粘着性を有する防水材で、内壁材２０の外面の所定領域に、合板２１を介して貼付されている。
内壁防水シート２２の貼付領域は、内壁材２０の外壁材１０と接合しない下側（露出した側）を防水すると共に、第２の水切板４０の締結板部４２のみならず第１の水切板３０の防水板部３３の全面に亘って接合する観点から、内壁材２０の下端から第１の水切板３０の上端を越えた範囲である。
内壁防水シート２２の外面には、内壁材２０の防水をさらに強化する観点から、例えばＦＲＰ（繊維強化プラスチック）等を用いた防水材２３が、床５から所定の高さ（例えば２０ｃｍ程度）まで貼付されている。
【００１５】
防水材２３の上端部分と内壁防水シート２２の間には、脱気用の円筒管２５が設けられている。防水材２３の円筒管２５上に合わせて膨らんだ部分から下側には、防水材２３を保護する観点から、木地材２４が防水テープ（図示しない）を用いて貼り合わせられている。
【００１６】
図４に示すように、第２の水切板４０は、例えばステンレス等の鋼板を用いて、締結板部４２と、被遮蔽部４１と、防水カバー部４３とから一体的に折曲形成されている。
第２の水切板４０の幅は、内壁材２０の全幅を所定数に分割した一定の長さに設定されている。
締結板部４２は、内壁材２０に固定されるように平板状に形成されている。締結板部４２には、固定ビス５１用の孔が一定の間隔毎に形成されている。
被遮蔽部４１は、締結板部４２の上端部分から鉛直下方に張り出て斜面状に形成されている。
防水カバー部４３は、締結板部４２の下端部分から鉛直下方に張り出た傾斜部４３ａと、その下端部分から鉛直面上に延在した遮蔽部４３ｂとから段差状に形成され、その下側が開口している。なお、防水カバー部４３の下端部分には、折返部４４が内側に傾斜して形成されている。
【００１７】
図２又は図４に示すように、このような第２の水切板４０は、この締結板部４２において防水材２３の上端部に固定ビス５１が打ち込まれることにより、第２の壁構造体２０に固定される。
この場合、第２の結合部４１は、防水材２３の上端を越えて配置されるとともに、防水カバー部４３は、防水材２３の膨らんだ部分を含む下方領域を覆う位置に配置されるようになっている。
【００１８】
防水カバー部４３の内面には、止水部材４５が固着されている。この止水部材４５は、防水カバー部４３の下側から流入した水を吸収する観点から、吸水性を有するエプトシーラ（商品名）等を用いてスポンジ塊状に形成されている。
止水部材４５の厚さは、第２の水切板４０が固定された際に止水部材４５自体を収縮させて防水カバー部４３の下側から流入した水を堰き止める観点から、第２の水切板４０の設置位置における防水カバー部４３と木地材２４の間隔より大きく設定されている。
【００１９】
次いで、図２に示すように、外壁材１０及び第１の水切板３０について説明する。
外壁材１０は、例えばサイディング等を用いて所定の大きさの板状に形成されている。胴縁材１１は、例えば合板を用いた縦胴縁である。外壁材１０は、外側から釘打ちされることにより、その胴縁材１１に取り付けられている。
【００２０】
胴縁材１１の内面には、胴縁材１１と接合する内壁材２０を防水する観点から、例えばタイベック（商品名）等を用いた外壁防水シート１４が貼付されている。外壁防水シート１４は、胴縁材１１の下端近傍まで延在している。
【００２１】
図３に示すように、第１の水切板３０は、第２の水切板４０に用いた鋼板と同じものを用いて、防水板部３３と、遮蔽部３１とから一体的に折曲形成されている。第１の水切板３０の幅は、第２の水切板４０の幅と同一に設定されている。防水板部３３は、外壁防水シート１４を介した胴縁材１１と、内壁材２０との間に介在するように平板状に形成されている。防水板部３３の上端部分には、折返部３４が外側に折曲形成されている。この折返部３４は、外壁防水シート１４を胴縁材１１の外面に押し付けると共に、胴縁材１１と内壁防水シート２２との間に空隙を設けて外壁防水シート１４が水を吸い上げないようにする観点から形成されたものである。
遮蔽部３１は、防水板部３３の下端部分に鉛直下方に張り出た斜面状に傾斜部３１ａと、その下端部分から内側に折り曲げられた平面状の平板部３１ｂとからなる。この遮蔽部３１は、傾斜部３１ａと平板部３１ｂの間で第２の水切板４１の被遮蔽部４１を覆い、第１の水切板３０上の水が、第２の水切板４０の裏側（内壁防水シート２２側）に入り込まないようにする観点から形成されたものである。
【００２２】
図２又は図３に示すように、このような第１の水切板３０は、この防水板部３３が外壁防水シート１４を挟んで胴縁材１１の下側の外面に釘を用いて第１の壁構造体１０に固定される。
この場合、遮蔽部３１は、胴縁材１１の下面からはみ出て配置されるようになっている。
【００２３】
ここに、図３又は図４に示すように、第１、第２の水切板３０、４０の相互の関係については、第１の水切板３０の遮蔽部３１上の水を、第２の水切板４０の防水カバー部４３における傾斜部４３ａ上に落とす観点から、第２の水切板４０における防水カバー部４３と締結板部４２の水平間隔は、第１の水切板３０における遮蔽部３１と防水板部３３の水平間隔より大きく設定されている。
【００２４】
以下、本実施形態の壁防水構造１の製造方法及び壁防水方法を説明する。
工場の製造段階では、第１の水切板３０、外壁防水シート１４、胴縁材１１、外壁材１０を、この順に製造する。この場合、外壁防水シート１４は、胴縁材１１と第１の水切板３０の間に介在している。
また、内壁材２０には、予め、内壁防水シート２２や防水材２３等を貼付し、この内壁材２０を床５に立設しておく。
【００２５】
現場の施工段階では、まず、バルコニー４の床５の防水工事において排水溝等を設けた後、内壁材２０の上記の所定位置に第２の水切板４０を固定用ビス５１を用いて固定する。
【００２６】
次いで、第１の水切板３０が固定された第１の壁構造体１０を、第２の壁構造体２０に所定の治具を用いて位置合わせしつつ取り付ける。
この場合、第１、第２の水切板３０、４０において、被遮蔽部４１の上面が、遮蔽部３１の傾斜部３１ａの下面に当接して密着するように、外壁材１０の位置合わせする。
これにより、第２の水切板４０の被遮蔽部４１は、第１の水切板３０の遮蔽部３１と内壁防水シート２２の間で覆われるため、第１、第２の水切板３０、４０は、外側（外壁材１０側）に一体的な防水路を形成する。
【００２７】
以下、本実施形態の壁防水構造１の作用を説明する。
雨天の際に、外壁材１０に浸入した水は、胴縁材１１を通過して外壁防水シート１４に至り、その後、第１、第２の水切板３０、４０の防水路上を流れてから床５に落ちて排水溝に流れる。
この場合、第１、第２の水切板３０、４０において、被遮蔽部４１は、第１の水切板３０の遮蔽部３１と内壁防水シート２２の間で覆われ、しかも、遮蔽部３１は、下方に傾斜しているため、遮蔽部３１と被遮蔽部４１の間から水が浸入しない。
また、大雨等の際に、床５に溜まった水は、第２の水切板４０の下側から入り込むことがあるが、この場合、そのように逆流した水は、止水部材４５によって吸収されると共に堰き止められる。
【００２８】
以上述べたように、本実施形態によれば、水切板を、第１の水切板３０と、第２の水切板４０とに分離し、第１の水切板３０に関する施工を工場で行い得るため、水切板の現場施工においては、第２の水切板４０に関する施工のみを現場で行えばよい。
そして、水切板を、第１の水切板３０と、第２の水切板４０とに分離しても、第２の水切板４０の被遮蔽部４１を、第１の水切板３０の遮蔽部３１と内壁防水シート２２との間で覆うようにしてあるため、水切板がもつ本来的な防水性能を損なうことはない。
その結果、バルコニー４の防水にあたって、現場施工の労力が低減するため、品質管理が容易になると共に、現場での雨仕舞が早くなる結果、雨による建物躯体へのダメージを減少することができる。また、工場施工を多くすることができるため、現場施工期間が短縮されると共に、現場で発生するゴミを減少することができる。
【００２９】
また、本実施形態によれば、第２の水切板４０の締結部４２での固定用ビス５１を外すことにより、内壁材２０と外壁材１０の間から露出した第２の水切板４０を劣化した場合に簡便に交換することができる。
【００３０】
さらに、本実施形態によれば、第２の水切板４０に止水部材４５を設けたことから、逆流した水を堰き止める対策について、予め工場の段階で施工計画をたてるだけでなく、適宜、現場において追加、変更等を行うことが可能になる。
【００３１】
さらにまた、本実施形態によれば、外壁防水シート１４を第１の水切板３０と胴縁材１１との間に介在させたことから、外壁材１０から浸入して外壁防水シート１４上に溜まった水を、第１の水切板３０の外側（胴縁材１１側）に流すことができ、このような外壁材２０の防水構造を、工場で製造することができる。
【００３２】
本発明は、上記実施形態に限られることなく、種々の変更等を行うことができる。
本発明の壁防水構造及び壁防水方法は、上述したように木造住宅のバルコニーに適用されることが好ましいが、特にこれに限定されるものでなく、例えば、建物の外壁材とその内側の内壁材のように、露出した壁構造体にも適用することができる。
【００３３】
上述した第１、第２の水切板３０、４０は、内壁材２０及び外壁材１０の外面及び内面に適用されるが、これらの入隅や出隅の適用にあっては、第１、第２の水切板３０、４０を、適宜、以下のように変更して施工期間の短縮化等を図ることができる。
例えば、入隅や出隅の直下には、排水溝の上流部分や排水口が配置されることが多く、第２の水切板４０の下に大量の水が溜まらないため、第２の水切板４０に止水部材４５を設けなくてもよい。
また、バルコニー４における手摺の内壁材２０の場合には、上記外壁材１０（サイディング）を用いず、外壁防水シート１４を外側にして薄い樹脂スペーサ（２ｍｍ程度の厚さ）を介して取り付けたネオグランデ（商品名）が外壁となる。この樹脂スペーサは、内壁材２０とネオグランデの間に第１の水切板３０を介在させた場合にそれらの間にできた隙間を埋める観点から、第１の水切板３０まで延在している。
【００３４】
【発明の効果】
本発明によれば、水切板状体の本来的な防水性能を損なわずに、外壁材の施工を現場でなく工場で行い得ると共に、劣化した水切板状体を簡便に交換し得る壁防水構造及び壁防水方法を得ることができる。
【図面の簡単な説明】
【図１】本実施形態の壁防水構造が適用された木造住宅のバルコニーの概略を示す側方断面図である。
【図２】同壁防水構造の要部の概略構成を示す側方断面図である。
【図３】同壁防水構造の第１の水切板の概略構成を示す側方断面図である。
【図４】同壁防水構造の第２の水切板の概略構成を示す側方断面図である。
【符号の説明】
１０  外壁材
１２  胴縁材
２０  内壁材
２３  防水材
３０  第１の水切板
３１  遮蔽部
４０  第２の水切板
４１  被遮蔽部
【図１】
2004162359.tif 000003
【図２】
2004162359.tif 000004
【図３】
2004162359.tif 000005
【図４】
2004162359.tif 000006